(57)【要約】【課題】ランプ装置の駆動時に発生する熱を効率的に放出することができるようにすること。【達成手段】実施例のランプ装置は、開口部を形成するように内面と外面を有する構造体と、前記構造体の外面から外部方向に延長された複数のピンを含む放熱体；前記放熱体の複数のピンの下部に配置され、一面に配置された複数の発光素子を有する基板を含む。【選択図】図１
2016042492.tif 000002
【特許請求の範囲】
【請求項１】
放熱体と、
前記放熱体の下部に配置され、一面に配置された複数の発光素子を有する基板と、
前記複数の発光素子に光学的に結合され、前記複数の発光素子から発生した光を所定の方向に切り替える複数の光ガイドと、
中心軸を有する開口が形成され、内面及び外面を有する第１リング構造体と、該第１リング構造体の前記外面から外部方向に延長された第１突出部及び第２突出部と、を含む第１部材と、
を含み、
前記複数の光ガイドの末端は、前記第１部材の前記開口に配置され、
前記第１部材は、前記第１突出部及び前記第２突出部が軸になり、角度を有して回転可能である、ランプ装置。
【請求項２】
前記第１部材の前記第１リング構造体内部に配置された集光レンズをさらに含む、請求項１に記載のランプ装置。
【請求項３】
中心軸を有する開口が形成され、内面及び外面を有する第２リング構造体と、該第２リング構造体の前記外面から外部方向に延長された第１突出部及び第２突出部と、を含む第２部材をさらに含み、
前記第１部材は、前記第２部材の前記開口に配置され、
前記第２部材は、前記第１部材の前記第１突出部及び前記第２突出部が挿入される第１ホール及び第２ホールを含む、請求項１又は２に記載のランプ装置。
【請求項４】
前記第２部材の前記第１突出部から水平に延長されて前記第２部材の前記第２突出部に水平に至るまでの第１仮想ラインと、前記第２部材の前記第１ホールの中心軸から延長されて前記第２ホールの中心軸に至るまでの第２仮想ラインとは、直角に交差する、請求項３に記載のランプ装置。
【請求項５】
中心軸を有する開口が形成されるように内周部を有し、前記内周部から間隔を置いて前記内周部に沿って配置された外周部及び前記内周部の末端から垂直方向に延長されて前記外周部の末端に連結される平面部を含む固定部材をさらに含み、
前記内周部は、前記第２部材の第１突出部及び第２突出部が挿入される第１ホール及び第２ホールを含み、
前記外周部と前記内周部との間に前記複数の発光素子と前記複数の光ガイドが配置された、請求項３又は４に記載のランプ装置。
【請求項６】
前記基板は、前記複数の発光素子の間に形成された複数のホールを有し、
前記放熱体は、開口部を形成するように内面及び外面を有する構造体、及び、前記構造体の外面から外部方向に延長された複数のフィンを含み、
前記放熱体の前記複数のフィンと前記基板との間に配置され、前記放熱体の前記開口部に対応する放熱板をさらに含み、
前記放熱板は、前記基板の前記複数のホールと対応する複数のホールを有する、請求項１乃至５の何れか１項に記載のランプ装置。
【請求項７】
前記放熱板は、前記放熱体の前記複数のフィンと接触し、
前記基板は、前記放熱板と接触する、請求項６に記載のランプ装置。
【請求項８】
前記放熱板と前記基板との間に配置された熱伝導性シートをさらに含む、請求項６又は７に記載のランプ装置。
【請求項９】
前記複数の光ガイドの末端をバインディングするフランジをさらに含み、
前記フランジは、前記複数の光ガイドそれぞれが挿入される複数のホールを有する、請求項１乃至８の何れか１項に記載のランプ装置。
【請求項１０】
前記フランジは、前記第１部材の前記第１リング構造体内部に配置され、前記集光レンズ上に配置された、請求項９に記載のランプ装置。
【発明の詳細な説明】
【技術分野】
【０００１】
実施例は、ランプ装置に関するものである。
【背景技術】
【０００２】
ＬＥＤ(light emitting diode)は、電気エネルギーを光エネルギーに変換するエネルギ
ー変換素子であって、発光素子は蛍光灯、白熱灯等の既存の光源に比べて低消費電力、半
永久的な寿命、速い応答速度、安全性、環境親和性の長所を有する。
従って、既存の光源を発光素子に代替するための多くの研究が進行されており、既に発光
素子は室内外で用いられる各種の液晶表示装置、電光板、街灯、表示灯、室内灯等の照明
装置の光源として使用が増加されている成り行きである。
【発明の概要】
【発明が解決しようとする課題】
【０００３】
実施例のランプ装置の目的は、ランプ装置の駆動時に発生する熱を効率的に放出するこ
とである。
【０００４】
実施例のランプ装置の他の目的は、ランプ装置の部品に問題がある場合、容易に維持補
修することがである。
【０００５】
実施例のランプ装置のさらに他の目的は、体積をスリム化して空間的な制約に係わらず
、設置自由度を向上させることである。
【課題を解決するための手段】
【０００６】
一実施例によるランプ装置は、開口部を形成するように内面と外面を有する構造体と、
前記構造体の外面から外部方向に延長された複数のピンを含む放熱体；前記放熱体の複数
のピンの下部に配置され、一面に配置された複数の発光素子を有する基板を含む。
【０００７】
一実施例による他のランプ装置は、開口部を形成するように内面と外面を有する構造体
と、前記構造体の外面から外部方向に延長された複数のピンと、前記複数のピンの一端が
連結された平面部を含む放熱体；前記放熱体の平面部上に配置され、上面を有する基板；
及び前記基板の上面と反対に位置する下面に配置された複数の発光素子を含む。
【０００８】
一実施例によるまた他のランプ装置は、開口部を形成するように内面と外面を有する構
造体と、前記構造体の外面から外部方向に延長された複数のピンを含む放熱体；及び前記
放熱体の複数のピンの下部に配置され、一面に配置された複数の発光素子と、複数のホー
ルを有する基板を含み、前記放熱体の複数のピンのうち隣り合う二つのピンは間隔を置い
て離隔されている。
【発明の効果】
【０００９】
実施例のランプ装置によれば、ランプ装置の駆動時に発生する熱を効率的に放出するこ
とができる。
【００１０】
実施例のランプ装置によれば、ランプ装置の部品に問題がある場合、容易に維持補修す
ることができる。
【００１１】
実施例のランプ装置によれば、体積をスリム化して空間的な制約に係わらず、設置自由
度を向上させることができる。
【図面の簡単な説明】
【００１２】
【図１】図１は、本発明の一実施例によるランプ装置の斜視図である。
【図２】図２は、図１に示された本発明の一実施例によるランプ装置の断面斜視図である。
【図３】図３は、図１に示された本発明の一実施例によるランプ装置の分解斜視図である。
【図４】図４は、本発明の一実施例による他のランプ装置の斜視図である。
【図５】図５は、図４に示された本発明の一実施例によるランプ装置の分解斜視図である。
【発明を実施するための形態】
【００１３】
本発明による実施例の説明において、各エレメントの“上又は下（on or under）”に
形成されるものと記載される場合において、上又は下は、２つのエレメントが互いに直接
（directly）接触されるか、１つ以上の他のエレメントが上記２つのエレメントの間に配
置されて（indirectly）形成されることを全て含む。また、“上又は下”と表現される場
合、１つのエレメントを基準に上方向だけでなく下方向の意味も含むことができる。
【００１４】
以下、添付された図面を参照して実施例を詳しく説明することとする。
【００１５】
図１は、本発明の一実施例によるランプ装置の斜視図であり、図２は、図１に示された
本発明の一実施例によるランプ装置の断面斜視図であり、図３は、図１に示された本発明
の一実施例によるランプ装置の分解斜視図である。
【００１６】
図１乃至図３を参照すると、本発明の一実施例によるランプ装置１００は、放熱体１１
０、基板１３０、光源部１５０、光ガイド１７０、フランジ１９０、第１部材２１０、集
光レンズ２２０、第２部材２３０及び固定部材２５０を含む。
【００１７】
放熱体１１０は、リング形状の構造体１１１と、複数のピン１１３、平面部１１５が有
機的に結合されて全体形状がドーナツ形態をなす。しかし、放熱体は実施例に限定されず
、例えば、構造体の場合、多角形状やその他の多様な形状を有することができる。
【００１８】
リング構造体１１１は、中心軸Ａを有する開口部Ｇ１が中央に形成されるように内面と
外面を有する。複数のピン１１３はリング構造体１１１の外面に結合され、前記リング構
造体１１１の外面から外部方向に放射状に延長される。複数のピン１１３は、後述する光
源部１５０から発生した熱が全体的に均一に外部に放出されるように一定の間隔で維持さ
れ得る。平面部１１５は前記リング構造体１１１の外面の一端に結合され、前記リング構
造体１１１の外面に垂直延長され、前記リング構造体１１１の外面に結合された複数のピ
ン１１３の一端と結合される。
【００１９】
基板１３０は、放熱体の平面部１１５と隣接した上面と光源部１５０が配置される下面
を有する。このような基板１３０は、一般的に用いられる金属印刷回路基板(Printed Cir
cuit Board)を主に用いることが望ましいが、その他、光源部が配置され得る基板であれ
ば、いずれでも使用可能である。
【００２０】
基板１３０は、開口部Ｇ１を有するリング構造体１１１を密閉するように一つの円板形
状を有することができるが、光源部１５０から発生した熱が空気の循環を通じて外部に放
出され得るように、中央に開口部Ｇ２を有することが望ましい。また、基板中央の開口部
Ｇ２は同一の中心軸Ａを有するように放熱体の開口部Ｇ１と対応するように位置される。
この時、基板中央の開口部Ｇ２と放熱体の開口部Ｇ１は、ランプ装置の組み立て性や放熱
特性を向上させるために同一の面積を有することが望ましい。
【００２１】
光源部１５０は複数の発光ダイオード(ＬＥＤ)を含み、複数の発光ダイオードは基板の
下面に放射状に配置される。即ち、複数の発光ダイオードは、複数のピン１１３の配列方
法のように等間隔で基板１３０の下面に配列され得る。
【００２２】
このように、複数の発光ダイオードが基板に放射状に配置されると、発光ダイオードが
動作時に発生する熱の放出面積が広くなり、熱放出効率が高くなる。また、発光ダイオー
ドの熱は放熱体の平面部と基板の上面と接触されて放出され、放熱体の複数のピンを通じ
て放出されることで放熱表面積の増大により熱伝逹特性が向上する。
【００２３】
また、図面には示されていないが、基板１３０と放熱体１１０の平面部１１５との間に
放熱のための伝導性シートがさらに加えられて、基板１３０と放熱体１１０との間の熱的
伝達特性を向上させることができる。
【００２４】
また、複数の発光ダイオードが個別基板ではなく一つの基板に実装されて配置され、必
要時に光源部を含む基板の維持補修が容易である。
【００２５】
光ガイド１７０は複数の光ファイバーからなり、各光ファイバーの一端は前記複数の発
光ダイオード１５０に光学的に結合される。本実施例では光ガイド１７０は光ファイバー
を例示として挙げたが、光学装置のようなプリズムのように光源部から発生した光を所望
の方向に切り替えることができる装置であれば、いずれでも可能である。
【００２６】
フランジ１９０は、前記複数の光ファイバーが挿入されてその末端を結合するための複
数のホール１９１を有し、全体外形は円板形状を有する。よって、フランジ１９０によっ
て前記複数の発光ダイオードが結合されることにより、放射状に配置された複数の発光ダ
イオードから発生した光出射領域が減るようになって、光が特定の方向に集光される。
【００２７】
フランジ１９０のホール１９１に挿入された前記複数の光ファイバーの末端は、同一平
面に位置されるようにフランジのホール１９１に位置決めされる。これは、光が入射され
る特定の面で均一な光強度を有するようにするためである。また、フランジは、後で説明
する第１部材２１０の開口部Ｇ３に安着されて第１部材２１０の調節角度によって、発生
する光について特定の指向面を形成することができるようになる。
【００２８】
第１部材２１０は、中心軸を有する円形開口部Ｇ３が中央に形成されるように内面と外
面を有する第１リング構造体２１１と第１突出部２１２及び第２突出部２１３を含む。第
１突出部２１２と第２突出部２１３は互いに向かい合うように第１リング構造体２１１の
外面に結合され、第１突出部２１２と第２突出部２１３は第１リング構造体２１１の外面
で外部方向に延長されて配置される。第１部材の第１突出部２１２と第２突出部２１３そ
れぞれは、後で説明する第２部材２３０の第１ホール２３１ａと第２ホール２３１ｂにそ
れぞれ挿入され、第１部材２１０は第２部材２３０に挟んで結合される。
【００２９】
このような第１部材２１０は、第１突出部２１２と第２突出部２１３が軸になり、角度
を有して回転可能に傾く。従って、使用者が所望の方向に第１部材２１０の傾斜角を調節
して光源部１５０から発生した光について特定の指向性を設定することができるようにな
る。
【００３０】
集光レンズ２２０は第１部材２１０と光学的に結合され、フランジ１９０が安着される
第１部材の円形開口部の反対側の開口部を覆う。このような集光レンズは、フランジによ
って物理的に集光された光を光学的にさらに集光するようになる。
【００３１】
第２部材２３０は、第１部材２１０と同様に、中心軸を有する円形開口部Ｇ４が中央に
形成されるように内面と外面を有する第２リング構造体２３１と第１突出部２３２及び第
２突出部２３３を含む。また、第２部材２３０は、前記第１部材２１０の第１突出部２１
２と第２突出部２１３が挿入されるために第２リング構造体２３１の内面と外面を貫通し
、互いに向かい合う第１ホール２３１ａと第２ホール２３１ｂを含む。第１突出部２３２
と第２突出部２３３は、第２リング構造体２３１の外面で外部方向に延長されて配置され
る。
【００３２】
このような第２部材２３０は、第１突出部２３２から水平延長されて第２突出部２３３
に水平に至るまでの第１仮想ラインと、第２部材の第１ホール２３１ａの中心軸が延長さ
れて第２ホール２３１ｂの中心軸に至るまでの第２仮想ラインが交差される時、二つの仮
想ラインが交差されてなす角は直角をなす構造である。
【００３３】
第２部材２３０の内面の円周の長さは第１部材２１０の外面の円周の長さよりさらに大
きく形成されて第１部材２１０が第２部材２３０に挿入される。
【００３４】
固定部材２５０は、中心軸を有する円形開口部Ｇ５が形成されるように内周部２５１を
有し、前記内周部２５１から間隔を置いて前記内周部に沿って配置された外周部２５３及
び前記内周部の末端で垂直方向に延長されて前記外周部の末端に連結される平面部２５５
を含む。
【００３５】
固定部材２５０の内周部２５１は、前記第２部材２３０の第１突出部２３２と第２突出
部２３３が挿入されるために互いに向かい合う第１ホール２５１ａと第２ホール２５１ｂ
を含む。第２部材２３０の第１突出部２３２と第２突出部２３３が前記固定部材２５０の
第１ホール２５１ａと第２ホール２５１ｂにそれぞれ挿入され、前記第２部材２３０は前
記固定部材２５０の内周部２５１の内面に挟んで結合される。
【００３６】
固定部材２５０の外周部２５３は前記光源部１５０と光ガイド１７０を囲む。
【００３７】
上記のようなランプ装置は、駆動時に発光ダイオードから発生した熱を空間的に上下方
向ではなく水平方向に放出できる構造を有する放熱体を含んでおり、実質的にランプ装置
全体の体積スリム化を来たし得る。従って、ランプ装置の設置時、上下方向に熱を放出す
る従来の放熱体に比べて空間的な制約をより少なく受けるようになる。従って、設置自由
度を向上させることができる。
【００３８】
図４は、本発明の一実施例による他のランプ装置の斜視図であり、図５は、図４に示さ
れた本発明の一実施例によるランプ装置の分解斜視図である。
【００３９】
図４乃至図５を参照すると、本発明の一実施例による他のランプ装置３００は、放熱体
３１０、放熱板３３０、基板３５０、光源部３７０、光ガイド３９０、フランジ４１０、
第１部材４３０、第２部材４５０及び固定部材４７０を含む。
【００４０】
放熱体３１０はリング形状を有する構造体３１１と、複数のピン３１３が有機的に結合
されて全体形状がドーナツ形態をなす。しかし、放熱体は実施例に限定されず、例えば、
構造体の場合、多角形状やその他の多様な形状を有し得る。リング構造体３１１は、中心
軸Ａを有する開口部Ｇ１’が中央に形成されるように内面と外面を有する。複数のピン３
１３は、リング構造体３１１の外面に結合され、前記リング構造体３１１の外面から外部
方向に放射状に延長される。後述する光源部３７０から発生した熱が全体的に均一に外部
に放出されるように複数のピン３１３の間隔は一定に維持される。即ち、隣り合う二つの
ピンは一定の間隔を置いて配置され得る。
【００４１】
放熱板３３０は、複数のピン３１３のうち隣り合う二つのピンの間の間隔に対応する領
域にホール３３１を有し、放射状に配置された複数のピン３１３と隣接して配置される。
また、放熱板３３０は前記放熱体３１０の中央開口部Ｇ１’に対応するように中央に開口
部Ｇ２’を有する。放熱板３３０のホール３３１は、前記放熱体の上部で外部空気の流入
がさらに円滑になるように前記ピンの長さ方向に実質的に平行な長方形構造を有する。こ
のような放熱板３３０は、基板が直接放熱体の複数のピンと接触する場合、省略され得る
。また、放熱板３３０と放熱体３１０が一体型をなして実質的に図３に示された放熱体１
１０からなり得る。即ち、放熱板３３０は図３の放熱体１１０の平面部１１５の役割をす
ることができる。
【００４２】
基板３５０は、放熱板３３０と隣接した上面と光源部３７０が配置される下面を有する
。このような基板３５０は、一般的に用いられる金属印刷回路基板(Printed Circuit Boa
rd)を主に用いることが望ましいが、その他、光源部が配置され得る基板であれば、いず
れでも使用可能である。
【００４３】
基板３５０は、開口部Ｇ２’を有する放熱板３３０を密閉するように密閉された一つの
円板形状を有し得るが、光源部３７０から発生した熱が外部空気の循環を通じて外部に放
出され得るように、中央に開口部Ｇ３’を有することが望ましい。この時、基板３５０の
中央の開口部Ｇ３’は、放熱板３３０の開口部Ｇ２’と対応するように位置される。また
、基板３５０は複数のホール３５１を有し、前記複数のホール３５１は、基板の下面に配
置される光源部３７０の間に位置する。
【００４４】
さらに望ましくは、基板のホール３５１は、光源部３７０の間に配列されながら前記放
熱板３３０のホール３３１と対応する位置に配列される。基板のホール３５１も放熱板３
３０のホール３３１のような長方形構造を有する。
【００４５】
図面には示されていないが、基板３５０は、放熱板なしに前記放熱体の複数のピンに直
接接触して熱伝達をすることができ、放熱体と放熱板との間、あるいは放熱板と基板との
間に放熱のための伝導性シートが加えられて、放熱体と放熱板あるいは放熱板と基板との
間の熱的伝達特性を向上させることができる。
【００４６】
光源部３７０は複数の発光ダイオード(ＬＥＤ)を含み、複数の発光ダイオードは基板の
下面に放射状に延長されて配置される。即ち、複数の発光ダイオードは、前記放熱体３１
０の複数のピン３１３の配列方法と対応するように基板３５０の下面に配列される。
【００４７】
このように、複数の発光ダイオードが基板に放射状に配置されると、発光ダイオードが
動作時に発生する熱の放出面積が広くなり、熱放出効率が高くなる。また、発光ダイオー
ドの熱は、基板のホールや放熱板のホールを通じて空気の循環により放熱され得、放熱体
の複数のピンを通じて放熱表面積の増大により熱伝逹特性が向上する。また、図面には示
されていないが、基板と放熱板との間に放熱のための伝導性シートがさらに加えられて基
板と放熱板との間の熱的伝達特性を向上させることができる。
【００４８】
また、複数の発光ダイオードが個別基板ではなく一つの基板に実装されて配置され、必
要時に光源部を含む基板の維持補修が容易である。
【００４９】
残りの光ガイド３９０、フランジ４１０、第１部材４３０、集光レンズ４４０、第２部
材４５０及び固定部材４７０は、前の本発明の一実施例で説明した内容と類似するため、
これについての説明は省略することとする。
【００５０】
以上において実施例に説明された特徴、構造、効果等は、本発明の少なくとも一つの実
施例に含まれ、必ずしも一つの実施例のみに限定されるものではない。延いては、各実施
例において例示された特徴、構造、効果等は、実施例の属する分野における通常の知識を
有する者によって他の実施例に対しても組み合わせ又は変形されて実施可能である。従っ
て、このような組み合わせと変形に係る内容は、本発明の範囲に含まれるものと解釈され
なければならない。
【００５１】
また、以上において実施例を中心に説明したが、これは単に例示であるだけで本発明を
限定するものではなく、本発明の属する分野における通常の知識を有する者であれば、本
実施例の本質的な特性から外れない範囲で以上に例示されていない様々な変形と応用が可
能なことが分かる。例えば、実施例に具体的に示された各構成要素は変形して実施できる
ものである。そして、このような変形と応用に係る相違点は、添付された請求の範囲にお
いて規定する本発明の範囲に含まれるものと解釈されなければならない。
【図１】
2016042492.tif 000003
【図２】
2016042492.tif 000004
【図３】
2016042492.tif 000005
【図４】
2016042492.tif 000006
【図５】
2016042492.tif 000007